(57)【要約】【課題】ＯＦＤＭ方式を使用して映像信号を無線により伝送するＦＰＵ装置からなる映像伝送装置において、有効に情報表示を行う。【解決手段】受信側装置を例とすると、通信手段（アンテナ１１など）が伝送対象の映像信号を通信（受信）し、表示手段（例えば、表示部５８）が表示対象を表示し、事象検出手段（時計付ＣＰＵ５３など）が予め設定された所定の事象が発生したことを検出し、表示制御手段（時計付ＣＰＵ５３など）が事象検出手段により予め設定された所定の事象が発生したことが検出された場合には当該事象に関係する表示対象を表示手段により表示するように表示手段による表示内容を切り替える。【選択図】  図１
2011055410.tif 000002
【特許請求の範囲】
【請求項１】
ＯＦＤＭ方式を使用して映像信号を無線により伝送するＦＰＵ装置からなる映像伝送装置において、
伝送対象の映像信号を通信する通信手段と、
表示対象を表示する表示手段と、
予め設定された所定の事象が発生したことを検出する事象検出手段と、
前記事象検出手段により前記予め設定された所定の事象が発生したことが検出された場合には、当該事象に関係する表示対象を前記表示手段により表示するように前記表示手段による表示内容を切り替える表示制御手段と、
を備えたことを特徴とする映像伝送装置。
【発明の詳細な説明】
【技術分野】
【０００１】
本発明は、例えば、地上デジタル放送のＦＰＵ（Ｆｉｅｌｄ  Ｐｉｃｋｕｐ  Ｕｎｉｔ）装置を構成する映像伝送装置に関し、特に、有効に情報表示を行う映像伝送装置に関する。
【背景技術】
【０００２】
近年、例えば、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式（以下で、ＯＦＤＭ方式とも言う）と直交振幅変調（ＱＡＭ：Ｑｕａｄｒａｔｕｒｅ  Ａｍｐｌｉｔｕｄｅ  Ｍｏｄｕｌａｔｉｏｎ）方式（以下で、ＱＡＭ方式とも言う）が地上デジタル放送などに採用されている。
【０００３】
一例として、ガード期間を含んだＯＦＤＭ信号を伝送する伝送装置の受信装置において、受信したＯＦＤＭ信号のガード期間における相関演算を行い、当該相関演算の結果として得られるガード相関信号に基づいて受信アンテナの方向調整用信号を生成し、Ｃ／Ｎ（Ｃａｒｒｉｅｒ  ｔｏ  Ｎｏｉｓｅ  Ｒａｔｉｏ）が約０ｄＢ以下になる受信アンテナの方向調整の初期段階でも、受信信号のレベルを検出し、受信アンテナの方向調整を行っている。
【０００４】
また、一例として、映像信号を送信する送信装置と、送信された信号を受信アンテナで受信する受信装置と、受信アンテナの受信方向をリモートコントロールする制御装置とを有するＦＰＵリモコンシステムにおいて、制御装置が備える画面上に、受信アンテナの垂直角度線と受信アンテナの水平角度に該当する縦断面を表示し且つ受信アンテナの受信方向を変えたとき変えた受信方向に対応する受信アンテナの水平角度に該当する縦断面図を表示し、方向調整を行いながら電波伝搬遮蔽地帯を簡単に確認可能なＦＰＵリモコンシステムにおける受信アンテナの受信方向表示方法が行われていた。
【０００５】
また、ＨＤ−ＳＤＩ（Ｈｉｇｈ  Ｄｅｆｉｎｉｔｉｏｎ−Ｓｅｒｉａｌ  Ｄｉｇｉｔａｌ  Ｉｎｔｅｒｆａｃｅ）信号とは、ＳＭＰＴＥ２９２Ｍ勧告で定められたシリアルデジタル映像信号規格であり、ＡＥＳ３−１９９２信号（通称ＡＥＳ／ＥＢＵ（Ａｕｄｉｏ  Ｅｎｇｉｎｅｅｒｉｎｇ  Ｓｏｃｉｅｔｙ／Ｅｕｒｏｐｅａｎ  Ｂｒｏａｄｃａｓｔｉｎｇ  Ｕｎｉｏｎ））信号は、ＡＲＩＢ  ＢＴＡ  Ｓ−００６でＡＥＳが規定した業務用２チャンネルデジタル音声インタフェースをＨＤ映像の帰線期間を利用した補助信号領域で伝送する基本的な多重条件が統一されている。ＡＥＳ音声は、１つのＡＥＳデジタルストリームを構成する全データで、音声データと付加データとからなる。
【０００６】
テレビ放送において、ニュース報道やマラソン中継などで、中継現場から放送局にテレビジョン信号を伝送するために、ＦＰＵと呼ばれる可搬型の中継装置やＴＳＬ（Ｔｒａｎｓｍｉｔｔｅｒ  Ｓｔｕｄｉｏ  Ｌｉｎｋ）と呼ばれる伝送装置が用いられている。ＦＰＵからの信号は山頂等に設置されているＦＰＵ基地局で受信され、ＦＰＵ基地局からはＴＳＬ装置と呼ばれる固定回線を使用して放送局まで伝送される。ＦＰＵは、送信制御部、送信高周波部、受信制御部、受信高周波部で構成されるのが一般的であり、送信制御部と送信高周波部とを一体化し小型化した一体化送信部も用いられる。
【０００７】
図６には、従来技術に係る伝送システムの伝送装置の構成例を示してある。
送信側装置（例えば、送信用のＦＰＵ装置）は、送信制御部６０１と送信高周波数部６０２とアンテナ６０３から構成されており、受信側装置（例えば、受信用のＦＰＵ装置）はアンテナ６１１と受信高周波数部６１２と受信制御部６１３から構成されている。
【０００８】
送信制御部６０１では、入力信号である映像信号、音声信号を操作部６２４で設定したＯＦＤＭ−６４ＱＡＭ方式等の所定の変調モードにより変調部６２１で変調し、アップコンバータ６２２で７０ＭＨｚ又は１３０ＭＨｚの中間周波数（ＩＦ：Ｉｎｔｅｒｍｅｄｉａｔｅ  Ｆｒｅｑｕｅｎｃｙ）帯の信号へ周波数変換する。
送信高周波数部６０２では、アップコンバータ６３１でＩＦ信号を自動レベル調整（ＡＧＣ：Ａｕｔｏｍａｔｉｃ  Ｇａｉｎ  Ｃｏｎｔｒｏｌ）した後に、操作部６２４又は操作部６３４で設定した８００ＭＨｚ以上の所定の周波数の無線周波数（ＲＦ：Ｒａｉｏ  Ｆｒｅｑｕｅｎｃｙ）信号へ周波数変換し、電力増幅器６３２で操作部６２４又は操作部６３４で設定した所定のレベルまで電力増幅して、アンテナ６０３から送出する。
【０００９】
受信高周波数部６１２では、アンテナ６１１でＲＦ信号を受信した後に、低雑音増幅器（ＬＮＡ：Ｌｏｗ  Ｎｏｉｓｅ  Ａｍｐｌｉｆｉｅｒ）６４１で低雑音増幅して自動レベル調整し、ダウンコンバータ６４２でＩＦ信号へ周波数変換する。
受信制御部６１３では、ＩＦ信号をダウンコンバータ６５１で自動レベル調整して周波数変換し、復調部６５２でＯＦＤＭ−６４ＱＡＭ方式等の所定の復調モードで復調してこれにより得られた映像信号、音声信号を出力する。
【００１０】
送信制御部６０１と送信高周波数部６０２と受信高周波数部６１２と受信制御部６１３は、時計付ＣＰＵ（Ｃｅｎｔｒａｌ  Ｐｒｏｃｅｓｓｉｎｇ  Ｕｎｉｔ）６２３、６３３、６４３、６５３で制御検知し、表示部６２５、６３５、６４５、６５７とレベルメータ６２６、６３６、６４６、６５６に表示する。
そして、送信制御部６０１の表示部６２５には、例えば、伝送ビットレート、変調方式、使用するチャンネルを表示し、また、受信制御部６１３の表示部６５７には、例えば、伝送ビットレート、復調方式、使用するチャンネルを表示する。音声信号はシリアルデジタル映像信号の帰線期間に多重されていることが多い。
【００１１】
なお、受信高周波数部６１２や受信制御部６１３にも操作部６４４、６５５が備えられている。
また、受信制御部６１３には、受信状態情報作成部６５４が備えられている。
【００１２】
図７には、従来技術に係る送信制御部６０１と受信制御部６１３の構成例を示してある。図７を参照して、制御部の詳細な動作例を説明する。
送信制御部６０１では、変調部６２１は、ＭＰＥＧ（Ｍｏｖｉｎｇ  Ｐｉｃｔｕｒｅ  Ｅｘｐｅｒｔｓ  Ｇｒｏｕｐ）２等で映像信号と音声信号を圧縮してＴＳ（Ｔｒａｎｓｐｏｒｔ  Ｓｔｒｅａｍ）信号へ変換する映像符号化部７０１と、変調や誤り訂正等を行う通信路符号化部７０２と、直交変調部７０３で構成される。通信路符号化部７０２は、伝送中におけるエラーによるデータの誤りを防止するためもので、エネルギー拡散、畳み込み符号化、インターリーブ等の処理を適宜行う。直交変調部７０３は、ＱＡＭやＯＦＤＭの変調波信号を得る。この変調波信号は、アップコンバータ６２２で７０ＭＨｚ又は１３０ＭＨｚのＩＦ帯の信号へ周波数変換されて、送信高周波数部６０２へ送られる。
【００１３】
時計付ＣＰＵ６２３は、メモリ７１１と時計７１２とＣＰＵ７１３を有しており、例えば、伝送する映像・音声信号の選択を行い、映像符号化部７０１へは、映像信号及び音声信号のフォーマット選択やＴＳ信号の伝送レートの設定等を行う。また、変調部６２１からのエラー情報を受信することを行う。例えば、映像符号化部７０１から設定した信号のフォーマットエラー情報等を受信する。これらのエラー情報は時計付ＣＰＵ６２３のメモリ７１１に記憶される。
【００１４】
受信制御部６１３では、７０ＭＨｚ又は１３０ＭＨｚのＩＦ信号を受け取り、ダウンコンバータ６５１で自動レベル調整して周波数変換し、復調部６５２内において、直交復調部７２１で復調し、通信路復号化部７２２でデインターリーブやビタビ復号等を行って、ＴＳ信号を再生し、映像復号化部７２３で映像信号と音声信号を復号化する。
また、時計付ＣＰＵ６５３は、メモリ７３１と時計７３２とＣＰＵ７３３を有している。
【００１５】
また、受信電界強度、妨害波の有無、ビットエラーレート等の受信状態情報は、復調部６５２から出力されて、受信状態情報作成（生成）部６５４において映像信号化して出力される。
また、送信制御部６０１と受信制御部６１３の表示部６２５、６５７は、ＣＰＵ７１３、７３３から文字コード若しくはビットマップ情報を受信することで、伝送装置の設定情報或いは変調部６２１等から受信したエラー情報をメモリ７１１、７３１から読み出して表示する。
【００１６】
図８には、従来技術に係る受信制御部６１３の前面操作パネルの一例を模式的に示してある。
操作部６５５は、電源スイッチ８０１、周波数チャンネルスイッチ８０２ａ、変復調スイッチ８０２ｂ、プリセットスイッチ８０２ｃ等で構成される。周波数チャンネルスイッチ８０２ａは伝送する周波数チャンネルを設定し、変復調スイッチ８０２ｂはＱＡＭ、ＯＦＤＭ等の変調方式を設定し、プリセットスイッチ８０２ｃは伝送する映像及び音声等の信号フォーマットや伝送レート設定を予め設定する。
表示部６５７は、操作部６５５による設定情報や伝送装置のエラー情報の表示を行う。
また、レベルメータ６５６や、ＬＥＤ（Ｌｉｇｈｔ  Ｅｍｉｔｔｉｎｇ  Ｄｉｏｄｅ）群８０３や、機器番号の表示部（機器Ｎｏ）８０４が設けられている。
【００１７】
図９（ａ）、（ｂ）には、それぞれ、従来技術に係る表示部面（表示部６５７の画面）の一例を模式的に示してある。
図９（ａ）には、チャンネル９０１、変調方式９０２、信号フォーマット９０３に関する装置の設定の表示例を示してある。
図９（ｂ）には、発生時刻９１１とエラー内容９１２に関する装置エラー情報の表示例を示してある。
【００１８】
また、送信制御部６０１の前面操作パネルの操作部６２４に、チャンネル設定・送信出力切替設定・変調方式設定・伝送レート設定・コーデック設定等の設定用の切替スイッチを設けてあり、これらの設定に対応した変調波を送出する。このとき、いずれかのアラーム・異常を機器内部で検知した場合には、警告ＬＥＤで、警告表示する。また、その詳細を、表示部で表示することも行われている。
【先行技術文献】
【特許文献】
【００１９】
【特許文献１】特許第３７６８０８５号公報
【特許文献２】特開２００６−２１１６５２号公報
【特許文献３】特開２００７−２５１７０５号公報
【発明の概要】
【発明が解決しようとする課題】
【００２０】
ところで、上述した表示部面には、機器の設定情報やエラー監視ログが表示されるが、伝送する映像信号を監視する場合や受信状態情報を監視する場合には、伝送装置（例えば、送信側や受信側の装置）とは別に映像モニタを用意して監視する必要があった。また、表示部面の表示情報は文字による情報であるため、例えば、エラー情報表示面では、情報量が不足して、状況を解析するのに困難を要する場合があった。
【００２１】
これに関して、伝送する映像信号を監視する場合や受信状態情報を監視する場合には伝送装置とは別に映像モニタを用意して監視する必要があったという欠点を除去し、不安定な環境下においても、容易に移動中継伝送することができる装置を提供することを目的とする提案が行われている。
しかしながら、ＦＰＵ装置の表示部面だけでは、機器の設定情報やエラー監視ログと受信状態などを同時に確認することができないという問題や、ＦＰＵ装置の表示部面が限られたスペースであることから一度に表示することができる情報が少ないという問題があり、設定情報、状態情報などを切り替えて確認する必要があったため、瞬時に起きた受信状態情報等の変化を見逃してしまう可能性があるという問題があった。
【００２２】
本発明は、このような従来の事情に鑑み為されたもので、例えば、地上デジタル放送のＦＰＵ装置において、有効に情報表示を行うことができる映像伝送装置を提供することを目的とする。
【課題を解決するための手段】
【００２３】
上記目的を達成するため、本発明では、ＯＦＤＭ方式を使用して映像信号を無線により伝送するＦＰＵ装置からなる映像伝送装置において、次のような構成とした。
すなわち、通信手段が、伝送対象の映像信号を通信する。表示手段が、表示対象を表示する。事象検出手段が、予め設定された所定の事象が発生したことを検出する。表示制御手段が、前記事象検出手段により前記予め設定された所定の事象が発生したことが検出された場合には、（例えば、すぐに、）当該事象に関係する表示対象を前記表示手段により表示するように前記表示手段による表示内容を（例えば、他の表示内容から）切り替える。
【００２４】
従って、例えば、地上デジタル放送のＦＰＵ装置において、状態変化時や異常発生時などに、有効に情報表示を行うことができる。
具体例としては、通常時に任意の表示対象が表示されている状態において、所定の事象が発生したときには、通常時の表示内容から、当該事象に関係する表示内容が表示されるように、表示内容を切り替えることができる。
【００２５】
ここで、映像伝送装置としては、例えば、伝送対象の映像信号を通信する態様として映像信号を送信する送信装置に適用されてもよく、或いは、伝送対象の映像信号を通信する態様として映像信号を受信する受信装置に適用されてもよく、又は、送信装置と受信装置の両方の機能を有する通信装置に適用されてもよい。
また、所定の事象としては、種々なものが用いられてもよく、例えば、信号のレベル（送信レベルや受信レベルなど）、装置内や装置外周辺などの温度、信号（送信信号や受信信号）から得られる時間波形や周波数スペクトルやコンスタレーションや誤り率などの情報、ユーザ（人）による特定の操作、などに関する種々な事象を用いることが可能である。また、所定の事象が数値で表されるような場合には、所定の事象が発生したか否かを判定する際に、例えば、しきい値を用いて判定する構成を用いることができる。
【００２６】
また、表示対象の表示内容としては、種々な情報の表示内容が用いられてもよい。
また、表示の仕方としては、種々なものが用いられてもよく、例えば、文字や数字などを使用した表示や、図形やグラフなどを使用した表示や、ＬＥＤなどの光を使用した表示などを用いることができる。
【００２７】
また、表示部（例えば、表示画面）としては、例えば、複数の異なる表示部が用いられてもよく、一例として、サイズが大きい主となる表示部（主表示部）とサイズが小さい補助的な表示部（補助表示部）を用いることができる。具体例として、通常時に任意の表示対象が主表示部に表示されている状態において、所定の事象が発生したときには、通常時の表示内容から、当該事象に関係する表示内容が表示されるように、主表示部の表示内容を切り替えるようなことができる。また、具体例として、このように所定の事象が発生したときには、主表示部の表示内容の切り替えに連動して、補助表示部の表示内容も切り替えるようなことができる。また、具体例として、補助表示部による簡易的な表示のみで十分な場合には、主表示部の表示を停止させるようなことができる。
【発明の効果】
【００２８】
以上説明したように、本発明に係る映像伝送装置によると、例えば、地上デジタル放送のＦＰＵ装置において、状態変化時や異常発生時などに、有効に情報表示を行うことができる。
【図面の簡単な説明】
【００２９】
【図１】本発明の一実施例に係る伝送システムの伝送装置の構成例を示す図である。
【図２】本発明の一実施例に係る送信制御部と受信制御部の構成例を示す図である。
【図３】本発明の一実施例に係る受信制御部の前面操作パネルの一例を模式的に示す図である。
【図４】本発明の一実施例に係る画像表示部の画面に表示される画像の一例及び補助表示部の画面に表示される情報の一例を示す図である。
【図５】本発明の一実施例に係る画像表示部の画面に表示される画像の一例及び補助表示部の画面に表示される情報の一例を示す図である。
【図６】従来技術に係る伝送システムの伝送装置の構成例を示す図である。
【図７】従来技術に係る送信制御部と受信制御部の構成例を示す図である。
【図８】従来技術に係る受信制御部の前面操作パネルの一例を模式的に示す図である。
【図９】（ａ）、（ｂ）はそれぞれ従来技術に係る表示部面の一例を模式的に示す図である。
【発明を実施するための形態】
【００３０】
本発明に係る実施例を図面を参照して説明する。
図１には、本発明の一実施例に係る伝送システムの伝送装置の構成例を示してある。
本例の伝送システムは、送信側装置（例えば、マイクロウエイブリンクを使用する送信用のＦＰＵ装置）と、受信側装置（例えば、マイクロウエイブリンクを使用する受信用のＦＰＵ装置）を有している。
送信側装置（送信機を有する伝送装置）は、送信制御部１と送信高周波数部２とアンテナ３から構成されており、受信側装置（受信機を有する伝送装置）はアンテナ１１と受信高周波数部１２と受信制御部１３から構成されている。
【００３１】
送信制御部１では、入力信号である映像信号、音声信号を操作部２４の各種設定用スイッチ群を操作することで設定したＯＦＤＭ−６４ＱＡＭ方式等の所定の変調モード（所定の変調方式・伝送パラメータ）により変調部２１で変調し、アップコンバータ２２で７０ＭＨｚ又は１３０ＭＨｚの中間周波数（ＩＦ）帯の信号へ周波数変換して、送信高周波数部２へ出力する。
送信高周波数部２では、送信制御部１から入力されたＩＦ信号をアップコンバータ３１で自動レベル調整（ＡＧＣ）した後に、操作部２４又は操作部３４で設定した８００ＭＨｚ以上の所定の周波数の無線周波数（ＲＦ）信号へ周波数変換し、電力増幅器３２で操作部２４又は操作部３４で設定した所定のレベルまで電力増幅して、アンテナ３から無線により送出する。
【００３２】
受信高周波数部１２では、送信側から無線送信されたＲＦ信号をアンテナ１１で受信した後に、低雑音増幅器（ＬＮＡ）４１で低雑音増幅して自動レベル調整し、ダウンコンバータ４２でＩＦ信号へ周波数変換して、受信制御部１３へ出力する。
受信制御部１３では、受信高周波数部１２から入力されたＩＦ信号をダウンコンバータ５１で自動レベル調整して周波数変換し、操作部５４で設定されたＯＦＤＭ−６４ＱＡＭ方式等の所定の復調モードにより復調部５２で復調してこれにより得られた映像信号、音声信号を出力する。
【００３３】
送信制御部１と送信高周波数部２と受信高周波数部１２と受信制御部１３は、時計付ＣＰＵ２３、３３、４３、５３と装置内温度を観測するための温度センサ２５、３５、４５、５５とで状態を検知して制御し、表示部２７、３６、４６、５８に表示する。
そして、送信制御部１の表示部２７には、例えば、伝送ビットレート、変調方式、使用するチャンネルなどを表示し、また、受信制御部１３の表示部５８には、例えば、伝送ビットレート、復調方式、使用するチャンネルなどを表示する。
【００３４】
なお、受信高周波数部１２にも操作部４４が備えられている。
また、送信制御部１や受信制御部１３には、画像発生部２６、５７が備えられている。
また、受信制御部１３には、ＦＦＴ付受信状態情報作成（生成）部５６が備えられている。
【００３５】
図２には、送信制御部１と受信制御部１３の構成例を示してある。図２を参照して、制御部の詳細な動作例を説明する。
送信制御部１では、変調部２１は、ＭＰＥＧ２やＨ．２６４やＪＰＥＧ−ＬＳ（Ｊｏｉｎｔ  Ｐｈｏｔｏｇｒａｐｈｉｃ  Ｅｘｐｅｒｔｓ  Ｇｏｕｐ−Ｌｏｓｓ  Ｌｅｓｓ）等で映像信号と音声信号を圧縮してＴＳ信号へ変換する映像符号化部１０１と、変調や誤り訂正等を行う通信路符号化部１０２と、直交変調部１０３で構成される。
【００３６】
通信路符号化部１０２は、伝送中におけるエラーによるデータの誤りを防止するためもので、エネルギー拡散、畳み込み符号化、インターリーブ等の処理を適宜行う。直交変調部１０３は、ＱＡＭやＯＦＤＭの変調波信号を得る。この変調波信号は、アップコンバータ２２で７０ＭＨｚ又は１３０ＭＨｚのＩＦ帯の信号へ周波数変換されて、送信高周波数部２へ送られる。
【００３７】
時計付ＣＰＵ２３は、メモリ１１１と時計１１２とＣＰＵ１１３を有しており、例えば、伝送する映像・音声信号（映像信号や音声信号）の選択を行い、映像符号化部１０１へは、映像信号及び音声信号のフォーマット選択やＴＳ信号の伝送レートの設定等を行う。また、変調部２１からのエラー情報を受信することを行う。例えば、映像符号化部１０１から設定した信号のフォーマットエラー情報等を受信する。これらのエラー情報は時計付ＣＰＵ２３のメモリ１１１に記憶される。
なお、時計付ＣＰＵ２３は、例えば、変調部２１との間で制御情報やデータを送受信し、アップコンバータ２２に対して制御情報を送信する。
また、時計付ＣＰＵ２３は、例えば、温度センサ２５により検出された温度の情報を入力することや、操作部２４との間で通信して操作部２４の操作内容を受信することや、画像発生部２６を制御することを行う。
【００３８】
画像発生部２６は、コントローラ１２１とメモリ１２２を有しており、送信制御部１への入力信号（映像信号及び音声信号）を入力して、当該入力信号に基づいて画像（本例では、必要な場合には、更に、その画像に対応する音声）を発生して、その情報を表示部２７へ出力する。
表示部２７は、画像表示部１３１と補助表示部１３２を有しており、画像発生部２６から入力された情報に基づいて、画像を表示する（本例では、必要な場合には、更に、その画像に対応する音声を出力する）。
【００３９】
受信制御部１３では、７０ＭＨｚ又は１３０ＭＨｚのＩＦ信号を受け取り、ダウンコンバータ５１で自動レベル調整して周波数変換し、復調部５２内において、直交復調部１４１で復調し、通信路復号化部１４２でデインターリーブやビタビ復号等を行って、ＴＳ信号を再生し、映像復号化部１４３で映像信号と音声信号を復号化する。
【００４０】
ここで、ダウンコンバータ５１からの出力信号は、変調部５２及びＦＦＴ付受信状態情報作成部５６に入力される。
また、復調部５２から出力される映像信号及び音声信号は画像発生部５７に入力され、また、復調部５２から出力される映像信号はＦＦＴ付受信状態情報作成部５６にも入力される。
【００４１】
時計付ＣＰＵ５３は、メモリ１５１と時計１５２とＣＰＵ１５３を有している。
なお、時計付ＣＰＵ５３は、例えば、ダウンコンバータ５１や復調部５２との間で制御情報やデータを送受信する。
また、時計付ＣＰＵ５３は、例えば、温度センサ５５により検出された温度の情報を入力することや、操作部５４との間で通信して操作部５４の操作内容を受信することや、ＦＦＴ付受信状態情報作成部５６との間で情報を送受信することや、画像発生部５７を制御することを行う。
【００４２】
ＦＦＴ付受信状態情報作成部５６は、ＦＦＴ（Ｆａｓｔ  Ｆｏｕｒｉｅｒ  Ｔｒａｎｓｆｏｒｍ）の機能を持ったＦＦＴ部１６１と受信状態情報作成部１６２を有しており、例えば、復調部５２との間で制御情報やデータを送受信することや、受信状態情報信号を出力することや、画像発生部５７へ映像の情報を出力することを行う。
【００４３】
画像発生部５７は、コントローラ１７１とメモリ１７２を有しており、復調部５２からの出力信号（映像信号及び音声信号）やＦＦＴ付受信状態情報作成部５６からの映像信号を入力して、当該入力情報に基づいて画像（本例では、必要な場合には、更に、その画像に対応する音声）を発生して、その情報を表示部５８へ出力する。
表示部５８は、画像表示部１８１と補助表示部１８２を有しており、画像発生部５７から入力された情報に基づいて、画像を表示する（本例では、必要な場合には、更に、その画像に対応する音声を出力する）。
【００４４】
ここで、受信電界強度、妨害波の有無、ビットエラーレート等の受信状態情報は復調部５２から出力されて、ＦＦＴ付受信状態情報作成部１６２において映像信号化して受信状態情報信号として出力される。
このとき、例えば、受信電界強度が変動した場合（例えば、しきい値よりレベルが下がったなどの異常が発生した場合）には、時計付ＣＰＵ５３のメモリ１５１にエラー情報が読み込まれ、受信状態が変化したことを時計付ＣＰＵ５３が認識して画像表示部１８１に受信状態の画像を表示する。また、補助表示部１８２では、例えば、受信状態以外の設定状態（例えば、ログ）などの表示を行う。このように、受信状態を表示することで、伝送路環境の確認を行うことができるため、送信側に連絡して送信出力を上げることや使用するチャンネルの変更等の対策を行うことができ、運用のアシストが可能になる。
【００４５】
また、本例では、送信制御部１や受信制御部１３の画像発生部２６、５７及び表示部２７、５８では、例えば、ＣＰＵ１１３、１５３から文字コード若しくはビットマップ情報を受信することで、伝送装置の設定情報或いは変調部２１等から受信したエラー情報をメモリ１１１、１５１から読み出して表示することができる。
【００４６】
図３には、受信制御部１３の前面操作パネルの一例を模式的に示してある。なお、本例では、送信制御部１、送信高周波数部２、受信高周波数部１２も、それぞれ、同様な前面操作パネルを有している。
操作部５４は、電源スイッチ２０１、周波数チャンネルスイッチ２０２ａ、変復調スイッチ２０２ｂ、プリセットスイッチ２０２ｃ等で構成される。周波数チャンネルスイッチ２０２ａは伝送する周波数チャンネルを設定し、変復調スイッチ２０２ｂはＱＡＭ、ＯＦＤＭ等の変調方式を設定し、プリセットスイッチ２０２ｃは伝送する映像及び音声等の信号フォーマットや伝送レート設定を予め設定する。
【００４７】
また、本例では、設定部２０３は画像表示部１８１などに関しておおまかな設定を行うためのボタンなどから構成されており、詳細設定部２０４は画像表示部１８１などに関して詳細な設定を行うためのボタンなどから構成されている。
また、各種のＬＥＤ群２０５、２０６や、機器番号の表示部（機器Ｎｏ）２０７が設けられている。
なお、補助表示部１８２のすぐ上のＬＥＤ群２０５では、ＮＯＲ、ＨＤ、ＳＤ、ＴＥＳＴ、Ｆ．Ｓの各ランプがある。また、アラーム（ＡＬＡＲＭ）のＬＥＤ群２０６では、ＦＡＮ、ＡＣ、ＤＣ、ＳＨＦ、ＨＥＡＤ、ＴＥＭＰ、ＥＱＰＴ、ＤＥＭ、ＤＥＣの各ランプがある。
【００４８】
また、画像表示部１８１の画面や補助表示部１８２の画面には、各種の情報が表示される。
一例として、画像表示部１８１はＲＧＢカラー表示で２４０画素×３００画素程度の大きさであり、補助表示部１８２は８桁の数字や英字を表示することが可能なもの（例えば、液晶画面など）である。また、画像表示部１８１のサイズの方が、補助表示部１８２のサイズより大きい。
【００４９】
図４には、画像表示部１８１の画面に表示される画像の一例及び補助表示部１８２の画面に表示される情報の一例を示してある。
本例では、ＦＦＴ付受信状態情報作成部５６や画像発生部５７により、復調映像信号を画像表示部１８１に表示させることが可能であるとともに、復調部５２からのコンスタレーションや復調部５２の入力信号をＦＦＴ部１６１によりＦＦＴ処理した周波数スペクトル等の受信状態情報を画像表示部１８１に表示させることができ、これと同時に、補助表示部１８２に、異常時などの各状態毎に割り当てられた番号であるログ番号（ログナンバー）、時計情報などというように受信状態情報以外の各種の情報を例えば一定時間の経過毎などのタイミングで順に表示させることができる。
【００５０】
これにより、例えば、図４に示されるように、隣接波など（例えば、異常な事象）が検出された場合には、画像表示部１８１に隣接検出波形とコンスタレーションなどの受信状態情報を表示し、補助表示部１８２にログ情報などの文字、数字等のデータを表示することで、同時に二つ以上の情報を（装置により自動的に）表示することができる。
【００５１】
なお、図４に示される画像表示部１８１の画面では、チャネルや受信レベルや変調方式や通信速度などの情報を表示する情報表示部３０１と、横軸が周波数を表し縦軸が受信レベルを表し受信信号の周波数スペクトルを表示する周波数レベル表示部３０２と、コンスタレーションを表示するコンスタレーション表示部３０３と、横軸が時間を表し縦軸が受信レベルを表し受信信号の時間変化を表示する時間レベル表示部３０４が設けられている。
【００５２】
図５には、画像表示部１８１の画面に表示される画像の一例及び補助表示部１８２の画面に表示される情報の一例を示してある。
本例では、画像表示部１８１による表示を休止させて、補助表示部１８２のみに情報を表示させている。これにより、画像表示部１８１には画像が表示されず、また、補助表示部１８２には、例えば、受信電界やＢＥＲ（Ｂｉｔ  Ｅｒｒｏｒ  Ｒａｔｅ）などの情報が一定時間の経過毎に切り替えられて表示される。
【００５３】
このような機能を有することで、例えば、時計付ＣＰＵ５３が、一定時間以上の間、設定変更や回線状態に変化がないことを判断した場合に、画像発生部５７のコントローラ１７１によりバックライトをオフすることで画像表示部１８１の表示を止めて、消費電力を抑えることが可能となる。更に、補助表示部１８２には、設定情報や受信情報などの必要な情報の表示を行うことができる。
【００５４】
以下で、更に、本例の情報表示について説明する。
本例では、映像、音声、データなどの信号をデジタル変調（又は、アナログ変調でもよい）方式で無線伝送するシステムの伝送装置において、設定情報検出機能（本例では、時計付ＣＰＵ５３の機能）、レベル等の状態情報検出機能（本例では、ＦＦＴ付受信状態情報作成部５６の機能や時計付ＣＰＵ５３の機能）、温度自体又は温度異常などの温度検出機能（本例では、温度センサ５５の機能）、画像発生機能（本例では、画像発生部５７の機能）、画像表示機能（本例では、表示部５８の画面やＬＥＤの機能）などを有し、前記した映像、音声、データ、設定情報、状態情報、伝送装置内の温度などに関して、変化した情報（例えば、それ自体、又は、それに関係する情報）を優先的に画面表示する機能を有している。これにより、例えば、予め設定された所定の閾値を超えて、ある情報に変化があったことが検出された場合には、すぐに、その変化があった情報（又は、それに関連する情報）を表示する画面表示へ切り替えることができる。
【００５５】
また、本例では、伝送装置の受信側において、受信状態情報作成機能（本例では、ＦＦＴ付受信状態情報作成部５６の機能）、設定情報検出機能、状態情報検出機能、温度検出機能、画像発生機能、画像表示機能などを有し、映像、音声、データ、設定情報、状態情報（ここでは、受信状態情報）、伝送装置内の温度などの情報を画像発生機能により画像化（例えば、グラフ化など）して画像表示機能により画像表示することが可能であり、前記した映像、音声、データ、設定情報、状態情報、伝送装置内の温度などに関して、変化した情報（例えば、それ自体、又は、それに関係する情報）を優先的に画面表示する機能を有している。
【００５６】
一例として、本例の伝送装置では、チャンネル選択が変更されたような場合には、それに関する設定情報画面を（装置により自動で）画像表示部１８１に表示し、これとともに、補助表示部１８２には、設定情報画面以外の状態を（装置により自動で）表示する制御を行うことができる。
また、本例の伝送装置では、設定状態の変化や受信状態情報（例えば、回線情報など）の変化などに応じて主画面（本例では、画像表示部１８１の画面）による表示の切り替え制御を行うことができ、例えば、隣接チャンネルの存在が検出された場合には、受信状態情報を画像表示部１８１に表示することで、運用する人に伝送路環境が変化したこと（例えば、厳しくなったこと、など）を視覚的に認識させることができる。補助表示部１８２では、設定画面情報などを表示することで、運用する人は同時に二つ以上の情報の確認を行うことが可能となる。ここで、本例では、画像表示部１８１に比べて補助表示部１８２は情報量が少ないことから、文字による表示を順に行っていく。
【００５７】
また、本例では、主画面（本例では、画像表示部１８１の画面）と補助画面（本例では、補助表示部１８２の画面）を用いて、状態変化や操作入力などの所定の事象がある一定時間以上起きなかった場合には、主画面のみを節電し、設定情報、状態情報、伝送装置内の温度の情報などを補助画面により表示することができる。
このように、本例では、状態変移が起きたものの情報を優先的に画面表示することにより、運用時に最も確認したい情報を画面で確認することが可能な表示を（装置により自動で）行うことができる。更に、画像表示部１８１の表示内容に連動して、補助表示部１８２の表示内容を切り替えることで、同時に二つ以上の情報を認識することが可能となる。
【００５８】
また、本例の伝送装置では、例えば、映像断、音声断、データ断、所定の閾値を超える温度の上昇又は下降、所定の閾値を超える入力レベルの上昇又は下降、反射波の出現、入力レベルの低減などの所定の状態を、予め、異常な状態であるとして設定しておいて、異常検出機能（本例では、例えば、時計付ＣＰＵ５３の機能やＦＦＴ付受信状態情報作成部５６の機能）や、異常が検出された場合にその異常に関係する情報を表示部５８に表示させるように（強制的に）切り替える機能を備えて、異常が起きたものの情報を優先的に画面表示することも可能である。
【００５９】
以上のように、本例の伝送装置では、設定状態や回線状態などに応じて画像表示部１８１の表示内容を切り替え、それに応じて補助表示部１８２の表示内容も切り替えることで、例えば、限られた表示部分において重要な情報を優先的に表示させることなどができ、移動中継伝送を行うＦＰＵ装置の運用性を向上させることができる。例えば、状態変移や異常（状態変移と異常が共通の事象となる場合もあり得る）が起きた情報を優先的に画像表示部１８１の画面に表示することで、有効的な表示が可能となり、更に、それに連動して、補助表示部１８２の画面も切り替えることで、同時に二つ以上の情報を認識させることが可能となる。
【００６０】
具体例として、顧客運用を考慮して、運用状態（例えば、電波が近くなってきた、等の回線状態）などに応じて表示画面の表示内容を（装置により自動的に）切り替えることができる。
なお、例えば、従来通り、伝送装置以外に映像モニタを用意することで、機器の設定情報やエラー監視ログや受信状態などを同時に確認することは可能であるが、これでは運用性の向上がないことから、本例では、限られた表示部分において有効的に情報を表示する構成を実現した。
【００６１】
ここで、本例では、一般的に移動中継用のＦＰＵ装置における遅延プロファイル表示に必要であって放送映像伝送に特有なガードバンド付きのＯＦＤＭ方式を使用する場合を示したが、他の種々な通信方式を使用する伝送装置に適用することも可能である。また、ＯＦＤＭ方式とＱＡＭ方式との組み合わせとしては、例えば、ＯＦＤＭ−６４ＱＡＭばかりでなく、ＯＦＤＭ−１６ＱＡＭなどを使用することもできる。また、他の例として、ＯＦＤＭ−ＱＰＳＫ（Ｑｕａｄｒａｔｕｒｅ  Ｐｈａｓｅ  Ｓｈｉｆｔ  Ｋｅｙｉｎｇ）などを使用することも可能である。
【００６２】
また、本例では、主に、受信制御部１３における情報表示の構成や動作について説明したが、同様な構成や動作を受信高周波数部１２に適用することも可能であり、また、例えば、受信側装置の構成が異なる場合には、いずれの部分に本例と同様な構成や動作が適用されてもよい。
【００６３】
また、受信側装置（本例では、受信制御部１３）における情報表示の構成や動作を送信側装置に適用することも可能であり、本例では、送信制御部１や送信高周波数部２に受信制御部１３と同様な情報表示の構成や動作を適用することができる。
具体例として、送信側装置では、設定情報、状態情報、伝送装置内の温度などを検出する機能を備えて、変化した情報や異常が発生した情報（これらの事象が共通である場合もあり得る）を優先的に送信側装置の画像表示機能（本例では、表示部２７、３６）の画面に表示する構成とし、更に、主画面と補助画面の使い分けを行う構成とする。
送信側装置では、例えば、通常時には主画面で入力信号の波形などを表示するとともに補助画面で入力信号のレベルなどを表示し、入力信号のレベルや自装置の出力パワーなどに異常が発生した場合には、その異常に関する情報を主画面に表示して、他の情報を補助画面に表示するようなことができる。
【００６４】
なお、本例のＦＰＵ装置（映像伝送装置の一例）では、受信制御部１３を有する受信側装置を例とすると、伝送対象の映像信号を通信（ここでは、受信）するアンテナ１１などの機能により通信手段が構成されており、表示対象を表示する画像表示部１８１や補助表示部１８２の機能により表示手段が構成されており、予め設定された（例えば、予めメモリに記憶された）所定の事象が発生したことを検出するＣＰＵ１５３や受信状態情報作成部１６２などの機能により事象検出手段が構成されており、前記した予め設定された所定の事象が発生したことが検出された場合には当該事象に関係する表示対象を表示するように画像表示部１８１（或いは補助表示部１８２、又は、両方）の表示内容を切り替えるＣＰＵ１５３や受信状態情報作成部１６２や画像発生部５７などの機能により表示制御手段が構成されている。ここで、各機能手段は、本例に限られず、任意の処理部から構成されてもよい。また、本例のような各機能手段は、送信側装置に適用することもでき、また、適用される装置を構成する任意の部分に備えられてもよい。
【００６５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００６６】
１、６０１・・送信制御部、  ２、６０２・・送信高周波数部、  ３、１１、６０３、６１１・・アンテナ、  １２、６１２・・受信高周波数部、  １３、６１３・・受信制御部、  ２１、６２１・・変調部、  ２２、３１、６２２、６３１・・アップコンバータ、  ２３、３３、４３、５３、６２３、６３３、６４３、６５３・・時計付ＣＰＵ、  ２４、３４、４４、５４、６２４、６３４、６４４、６５５・・操作部、  ２５、３５、４５、５５・・温度センサ、  ２６、５７・・画像発生部、  ２７、３６、４６、５８、６２５、６３５、６４５、６５７・・表示部、  ３２、６３２・・電力増幅器、  ４１、６４１・・ＬＮＡ、  ４２、５１、６４２、６５１・・ダウンコンバータ、  ５２、６５２・・復調部、  ５６・・ＦＦＴ付受信状態情報作成部、  １０１、７０１・・映像符号化部、  １０２、７０２・・通信路符号化部、  １０３、７０３・・直交変調部、  １１１、１２２、１５１、１７２、７１１、７３１・・メモリ、  １１２、１５２、７１２、７３２・・時計、  １１３、１５３、７１３、７３３・・ＣＰＵ、  １２１、１７１・・コントローラ、  １３１、１８１・・画像表示部、  １３２、１８２・・補助表示部、  １４１、７２１・・直交復調部、  １４２、７２２・・通信路復号化部、  １４３、７２３・・映像復号化部、  １６１・・ＦＦＴ部、  １６２、６５４・・受信状態情報作成部、  ２０１、８０１・・電源スイッチ、  ２０２ａ、８０２ａ・・周波数チャンネルスイッチ、  ２０２ｂ、８０２ｂ・・変復調スイッチ、  ２０２ｃ、８０２ｃ・・プリセットスイッチ、  ２０３・・設定部、  ２０４・・詳細設定部、  ２０５、２０６、８０３・・ＬＥＤ群、  ２０７、８０４・・機器番号の表示部、  ３０１・・情報表示部、  ３０２・・周波数レベル表示部、  ３０３・・コンスタレーション表示部、  ３０４・・時間レベル表示部、  ６２６、６３６、６４６、６５６・・レベルメータ、  ９０１・・チャンネル表示部、  ９０２・・変調方式表示部、  ９０３・・信号フォーマット表示部、  ９１１・・時刻表示部、  ９１２・・エラー内容表示部、
【図１】
2011055410.tif 000003
【図２】
2011055410.tif 000004
【図３】
2011055410.tif 000005
【図４】
2011055410.tif 000006
【図５】
2011055410.tif 000007
【図６】
2011055410.tif 000008
【図７】
2011055410.tif 000009
【図８】
2011055410.tif 000010
【図９】
2011055410.tif 000011